(57)【要約】【課題】カプセル型医療装置から送信される信号を受信記録する受信機に対して直接、カプセル型医療装置から送信される信号が飛び込むことを防止して良好な受信記録を行える受信機用収納ベルトを提供すること。【解決手段】第１側面ベルト５１ｂは、外装布６１と、緩衝部材６２と、電磁波低減部材である電磁波低減布６４とで構成されている。電磁波低減布６４は、外装布６１に形成されている袋部６１ａ内に緩衝部材６２とともに配設する。電磁波低減布６４は、不要電波の混入を低減可能にする布であり、受信機２０が収納される第１収納部５３が配置される第１側面ベルト５１ｂに電磁波低減布６４を設ける。このことによって、カプセル型内視鏡２から送信される信号を受信する受信機２０に不要電波が混入する不具合が大幅に低減される。【選択図】図８
2005342437.tif 000002
【特許請求の範囲】
【請求項１】
無線型カプセル医療装置から出力される電波による信号を受信する受信機を収納する収納部と、
被検者に巻装され、前記収納部が携帯可能に配設されるベルト部と、
このベルト部の少なくとも前記受信機が収納される収納部近傍に設けられ、不要電波の受信機への混入を低減する電磁波低減部材と、
を具備することを特徴とする受信機用収納ベルト。
【請求項２】
前記電磁波低減部材は布状部材であり、前記ベルト部の外装を構成する袋状の外装布の内部に設けられることを特徴とする請求項１に記載の受信機用収納ベルト。
【請求項３】
前記電磁波低減部材である布状部材を、電磁波遮蔽性を有する金属を所定の繊維で形成された不織布又は布の表面に蒸着又は、電磁波遮蔽性を有する金属を所定の繊維に蒸着させた後織り込んで形成したことを特徴とする請求項２に記載の受信機用収納ベルト。
【発明の詳細な説明】
【技術分野】
【０００１】
本発明は、カプセル型の医療装置に備えられている通信装置から発信される信号を受信するアンテナに電気的に接続された受信機が収納される医療機器用収納ベルトに関する。
【背景技術】
【０００２】
近年、体腔内の深部等を観察できるようにしたカプセル型内視鏡によるカプセル内視鏡検査が行われるようになっている。このカプセル内視鏡検査においてはカプセル型内視鏡を被検者に飲み込んでもらうことによって、カプセル型内視鏡が体腔内に導入される。カプセル型内視鏡は、カプセル状のカプセル本体内に照明機能や撮像機能が設けられている。
【０００３】
カプセル内視鏡検査においては、カプセル型内視鏡に設けられている撮像機能で撮像された画像信号が、カプセル本体内に設けられている送信機能によって、被検者が身につけている受信装置に向けて無線送信される。このことによって、受信装置に、カプセル型内視鏡から送信された画像信号が画像データとして保存蓄積される。そして、受信装置に保存蓄積された画像データに対して所定の信号処理を行うことによって、画像データを内視鏡観察画像として表示装置に表示させられるようになっている。
【０００４】
例えば、特開２００１−４６３５７号公報には、安全に生体内のラジオカプセル位置を検出し、生態情報を収集できる、ラジオカプセル受信システムが示されている。このラジオカプセル受信システムはラジオカプセルと体外ユニットとを備え、このラジオカプセルは生体情報を検出するセンサと、生体情報を送信する送信器と、電力を供給するバッテリーと、送信アンテナとを備えている。体外ユニットは被験者が装着するベスト型であり、複数のアンテナを配置したアンテナアレイ、受信モジュール、着脱可能なメモリ及び電源が設けられている。
【０００５】
また、特開２００３−１９１１１号公報には、生体内信号源の位置を探知するアレーシステム及び方法が示されている。このアレーシステムは、アンテナアレーベルトを使用して、生体内信号源の位置を探知できる。アンテナアレーベルトは、患者に巻き付けられて信号レコーダに取り付けられるようになっている。アレーの各アンテナ素子は、同軸ケーブルを介して、レコーダに接続するコネクタに接続される。アンテナアレーベルトは、一般に、被検者の中央部分に位置する８個のアンテナ素子を有している。
【０００６】
そして、前記ラジオカプセル受信システム及び前記生体内信号源の位置を探知するアレーシステム及び方法においては、カプセル型医療システムの受信機を、ベルトやベストなどに収めた状態で被験者に携帯させる。このことによって、口腔から嚥下されて例えば肛門から体外に排出されるまでの長時間にわたって、カプセル型医療装置から送られてくる生体情報に関わる信号が受信機に受信記録される。
【特許文献１】特開２００１−４６３５７号公報
【特許文献２】特開２００３−１９１１１号公報
【発明の開示】
【発明が解決しようとする課題】
【０００７】
しかしながら、前記特開２００１−４６３５７号公報のラジオカプセル受信システム及び特開２００３−１９１１１号公報の生体内信号源の位置を探知するアレーシステム及び方法においては、カプセル型医療装置から送信される信号が受信機に直接、飛び込むおそれがあった。つまり、ノイズ対策に関して全く考慮されていなかった。
【０００８】
本発明は上記事情に鑑みてなされたものであり、カプセル型医療装置から送信される信号を受信記録する受信機に対して直接、カプセル型医療装置から送信される信号が飛び込むことを防止して良好な受信記録を行える受信機用収納ベルトを提供することを目的にしている。
【課題を解決するための手段】
【０００９】
本発明の受信機用収納ベルトは、無線型カプセル医療装置から出力される電波による信号を受信する受信機を収納する収納部と、被検者に巻装され、前記収納部が携帯可能に配設されるベルト部と、このベルト部の少なくとも前記受信機が収納される収納部近傍に設けられ、不要電波の受信機への混入を低減する電磁波低減部材とを具備している。
【００１０】
この構成によれば、受信機が収納された収納部が配置されたベルト部近傍に電磁波低減部材が設けられたことによって、無線型カプセル医療装置から出力された信号が受信機に直接、飛び込むことが大幅に低減される。
【発明の効果】
【００１１】
本発明によれば、カプセル型医療システムによる検査において、電磁波低減部材を設けたベルト部近傍に受信機が収納された収納部を配置することによって、無線型カプセル医療装置から出力される信号に不要電波が混入することが低減されて、受信機による受信記録性能を向上させる携帯性に優れた受信機用収納ベルトを提供することができる。
【発明を実施するための最良の形態】
【００１２】
以下、図面を参照して本発明の実施の形態を説明する。 
図１ないし図１１は本発明の一実施形態に係り、図１はカプセル型内視鏡システムを説明する図、図２は受信ユニットの構成を説明する図、図３は受信機を説明する正面図、上面図及び左側面図で構成される三面図、図４は電池ボックスを説明する図、図５は医療機器用収納ベルトを説明する斜視図、図６は医療機器用収納ベルトの外側面側を説明する斜視図、図７は背面形成部の構成を説明する断面図、図８は第１側面形成部の構成を説明する断面図、図９は第１収納部の構成を説明する断面図、図１０は第２収納部の構成を説明する断面図、図１１は側面形成部に着脱自在なベルト延長部材を備えた医療機器用収納ベルトを説明する図である。
【００１３】
本実施形態の医療検査を行うカプセル型医療システムは、図１に示すカプセル型内視鏡システム１である。カプセル型内視鏡システム１は、無線型カプセル医療装置である例えばカプセル型内視鏡２と、被検者３に取り付けられる受信ユニット４と、受信ユニット４を構成する医療機器を収納する帯状の受信機用収納ベルト（以下、収納ベルトと略記する）５と、被検者３の体外に設けられた体外ユニット６とで主に構成されている。
【００１４】
カプセル型内視鏡２のカプセル本体７の内部には、図示しない観察装置、照明装置、信号処理装置、通信装置及び電源等が備えられている。カプセル型内視鏡２は、例えば被検者３に嚥下されて体腔内に導入される。そして、カプセル型内視鏡２が体腔内管路を移動している間、前記観察装置でとらえた体腔内の画像が信号処理装置で所定の信号に変換され、その信号が通信装置を介して受信ユニット４に向けて無線で送信される。
【００１５】
図１及び図２に示すように受信ユニット４は、アンテナユニット１０と、医療機器である受信機２０と、受信機に２０に電力を供給する電源機器である電池ボックス３０と、長尺な電源コード４０とで構成されている。
【００１６】
アンテナユニット１０は、カプセル型内視鏡２のカプセル本体７内に設けられている通信装置から送信された信号を受信する受信用アンテナであり、複数（例えば８つ）のループアンテナ１１、…、１８及びアンテナ切替器（以下、切替器と略記する）１９とで構成されている。
【００１７】
各ループアンテナ１１、…、１８は、被検者の例えば腹部側の所定位置に配置される。各ループアンテナ１１、…、１８からはシールド性が良好な例えば同軸線で構成されたアンテナケーブル１１ａ、…、１８ａが延出している。このアンテナケーブル１１ａ、…、１８ａの端部は切替器１９にそれぞれ接続されている。切替器１９は、被検者の体表に配置されたループアンテナ１１、…、１８を、予め設定された順、例えば第１ループアンテナ１１、第２ループアンテナ１２、…、第７ループアンテナ１７、第８ループアンテナ１８というように順次切替え動作させて、各ループアンテナ１１、…、１８で受信した信号をそれぞれ受信機２０に伝送する。
【００１８】
なお、アンテナケーブル１１ａ、…、１８ａの長さ寸法は、ループアンテナ１１、…、１８の体表への配置位置毎に予め決められている。また、符号１９ａは第１信号用ケーブルであり、符号１９ｂは第２信号用ケーブルである。第１信号用ケーブル１９ａはループアンテナ１１、…、１８で受信した信号を切替器１９から受信機２０まで伝送する。第１信号用ケーブル１９ａの端部には第１コネクタ１９ｃが設けられている。第２信号用ケーブル１９ｂは受信機２０側からの指示信号を切替器１９に伝送する。第２信号用ケーブル１９ｂの端部には第２コネクタ１９ｄが設けられている。
【００１９】
図２及び図３に示すように受信機２０は例えば箱形状であり、表示部としての例えば液晶モニタ２１と、アンテナユニット用コネクタ２２ａ、２２ｂと、電源コード４０が着脱自在に接続される電源コネクタ２３と、携帯型記録媒体が収納される記録装置収納部（不図示）とが設けられている。また、受信機２０の内部には各種信号処理を行う信号処理回路等の電気回路（不図示）が設けられている。 
なお、アンテナユニット用コネクタ２２ａには第１コネクタ１９ｃが着脱自在に接続され、アンテナユニット用コネクタ２２ｂには第２コネクタ１９ｄが着脱自在に接続される。
【００２０】
液晶モニタ２１及び記録装置収納部は受信機２０の例えば正面部に設けられている。アンテナユニット用コネクタ２２ａ、２２ｂは受信機２０の例えば上面部に設けられている。電源コネクタ２３は受信機２０の正面部に向かって左側面部に設けられている。符号２４は記録装置収納部を覆うスライド蓋２４である。スライド蓋２４は、受信機２０に対して、例えば図中下側に摺動移動させることによって、記録装置収納部が露出されるようになっている。
【００２１】
液晶モニタ２１は動作状態を視覚的に告知する告知部であって、画面上には例えば、信号用ケーブル１９ａ、１９ｂ或いは電源コード４０が接続されていない旨を告知するエラーメッセージの表示、電池ボックス３０内のバッテリ容量不足を告知するエラーメッセージの表示、カプセル型内視鏡２から信号が送信されているか否かを告知する表示、受信状態の表示等が行えるようになっている。
【００２２】
携帯型記録媒体は、例えば容量が１ＧＢのコンパクトフラッシュ（Ｒ）サイズのハードディスクドライブ（以下、ＨＤＤ（図１の符号７４参照）と略記する）であり、記録装置収納部に着脱自在に収納される。
【００２３】
前記信号処理回路では、各ループアンテナ１１、…、１８で受信して切替器１９を介して伝送された信号の中から最も強度の強い信号を選択する処理を行い、その選択した信号を記録保存用の検査データ（例えば画像データにループアンテナナンバーを記録したもの）に信号処理される。その後、信号処理した検査データを前記ＨＤＤに出力する。このことによって、ＨＤＤには、カプセル型内視鏡２で取得した画像データが検査データとして順次、記録保存される。
【００２４】
図２及び図４に示すように電池ボックス３０は例えば箱形形状であり、図示しない電池等が収納されるバッテリ収納部を有する箱部３１と、この箱部３１に対して開閉自在な蓋部３２と、電源コード４０が着脱自在に接続される電源コネクタ３３とが設けられている。蓋部３２を開状態にすることによってバッテリ収納部（不図示）が露出され、電池等の交換を行えるようになっている。
【００２５】
電源コード４０の両端部には、受信機２０に設けられている電源コネクタ２３及び電池ボックス３０に設けられている電源コネクタ３３に対してそれぞれ着脱自在な接続用コネクタ４１が設けられている。図２に示すように受信機２０と電池ボックス３０とが電源コード４０によって電気的に接続されることによって、電池ボックス３０のバッテリ収納部内に収納されている電池の電力が受信機２０に供給可能な状態になる。
【００２６】
図５及び図６に示すように収納ベルト５は、ベルト部５１と、吊りバンド５２と、第１収納部５３と、第２収納部５４と、電源コード収納部５５とを備えて構成されている。なお、本明細書中においては、以下、ベルト部５１の身体に接触する面側を内側面と記載し、身体に接触しない面側を外側面と記載する。
【００２７】
ベルト部５１は例えば、被検者の背面に配置されるいわゆる背当て部になる背面ベルト５１ａと、この背面ベルト５１ａの両端部に一体的に設けられた一対の側面ベルト５１ｂ、５１ｃとで構成されている。そして、第１側面ベルト５１ｂには例えば受信機２０が収納される第１収納部５３が設けられ、第２側面ベルト５１ｃには電池ボックス３０が収納される第２収納部５４が設けられるようになっている。
【００２８】
背面ベルト５１ａの一端部に設けられた第１側面ベルト５１ｂの他端部内側面にはベルト固定手段であるベルト固定部となる、結合手段を構成する面ファスナ５６の一方側である例えば平板状のフック側部材５７が設けられている。一方、第２側面ベルト５１ｃの他端部外側面にはベルト固定手段であるベルト固定部となる、面ファスナ５６の他方側であるフック側部材５７と同様に平板状のループ側部材５８が設けられている。
【００２９】
また、側面ベルト５１ｂ、５１ｃの外側面の長手方向には収納部固定手段である収納固定部となる、面ファスナ５６ａの一方側である、例えば２つのテープ状のループ側部材５８ａが長手方向に対して並行に設けられている。なお、第２側面ベルト５１ｃに設けたループ側部材５８ａについてはベルト固定手段を兼用している。
【００３０】
したがって、第１側面ベルト５１ｂに設けられているフック側部材５７を第２側面ベルト５１ｃに設けられているループ側部材５８、５８ａに押し付けることによって、フック側部材５７とループ側部材５８、５８ａとが引っかかった状態になる。すると、ベルト部５１を構成する第１側面ベルト５１ｂの端部と第２側面ベルト５１ｃの端部とが一体に固定された状態になる。このことによって、被検者にベルト部５１を巻装配置させられる。
【００３１】
そして、この一体な状態から、第１側面ベルト５１ｂの端部と第２側面ベルト５１ｃの端部とを互いに引き離す方向に引っ張ることによって、フック側部材５７とループ側部材５８、５８ａとの引っかかり状態が解除される。このことによって、第１側面ベルト５１ｂの端部と第２側面ベルト５１ｃの端部とを再び別体な状態にして、例えば被検者に巻装配置されているベルト部５１の取り外しを行える。
【００３２】
吊りバンド５２は、背側部５２ａ及び一対の腹側部５２ｂ、５２ｃで構成され、背側部５２ａ及び腹側部５２ｂ、５２ｃの端部にはそれぞれ取付具５２ｄ、５２ｅ、５２ｆが設けられている。各取付具５２ｄ、５２ｅ、５２ｆは、それぞれベルト部５１を構成する背面ベルト５１ａ、第１側面ベルト５１ｂ、第２側面ベルト５１ｃの例えば長手方向端部（図５及び図６中の上側）に設けられている吊りバンド取付部５９に着脱自在に取り付けられるようになっている。そして、ベルト部５１に吊りバンド５２を取り付け、吊りバンド５２の腹側部５２ｂ、５２ｃを被検者の肩にかけることによって、ベルト部５１は被検者に対して安定した状態で巻装配置される。
【００３３】
吊りバンド取付部５９には、取付け位置を使用者に告知するとともに、取付具５２ｄ、５２ｅ、５２ｆの繰り返しの着脱に対する耐性を高めるための補強布６０が設けられている。補強布６０の一端を、第１側面ベルト５１ｂ及び第２側面ベルト５１ｃに設けられるフック側部材５７又はループ側部材５８近傍に配置し、他端は各側面ベルト５１ｂ、５１ｃの略中間点近傍に配置している。
【００３４】
このことによって、取付具５２ｅ、５２ｆが収納部５３、５４より端部側に配置されるようになる。言い換えれば、収納部５３、５４は、取付具５２ｅ、５２ｆよりベルト部５１の中央部側に配置されるようになる。
【００３５】
図７に示す背面ベルト５１ａ、及び側面ベルト５１ｃは、外装を形成する外装布６１と、例えばスポンジ状のウレタン部材である緩衝部材６２とで構成されている。外装布６１は袋状に形成されており、この外装布６１の袋部６１ａ内に緩衝部材６２が設けられている。
【００３６】
そして、図に示す背面ベルト５１ａにおいては、外装布６１の外側面に、電源コード収納部５５を構成するコード収納布６３が設けられている。コード収納布６３の一端部内側には面ファスナ５６ｂの一方側を構成するフック側部材５７ｂが設けられ、他端部外側には面ファスナ５６ｂの他方側を構成するループ側部材５８ｂが設けられている。つまり、フック側部材５７ｂとループ側部材５８ｂとで収納布固定手段が構成されている。
【００３７】
このように、背面ベルト５１ａにフック側部材５７ｂ及びループ側部材５８ｂを設けたコード収納布６３を設けることによって、第１収納部５３に収納される受信機２０と第２収納部５４に収納される電池ボックス３０とを電気的に接続する電源コード４０に余剰分が生じたとき、その余剰分をコード収納布６３内に収めることができる。
【００３８】
一方、図８に示すように第１側面ベルト５１ｂは、外装布６１と、緩衝部材６２と、電磁波低減部材である電磁波低減布６４とで構成されている。電磁波低減布６４は、外装布６１に形成されている袋部６１ａ内に緩衝部材６２とともに配設される。電磁波低減布６４は、不要電波の混入を低減可能にする布であり、具体的には、ポリエチレンテレフタレート（以下、ＰＥＴと略記する）の不織布又は布の表面に銅やニッケル等の電磁波遮蔽性を有する金属を蒸着させたもの、又はＰＥＴの糸に前記金属を蒸着させてそれを織って形成したものである。 
なお、緩衝部材６２は内側面側に位置するように設けられるようになっている。
【００３９】
このように、受信機２０が収納される第１収納部５３が配置される第１側面ベルト５１ｂに電磁波低減布６４を設けたことによって、体腔内を移動するカプセル型内視鏡２から送信される信号が直接に受信機２０で受信されること、言い換えれば、受信機２０に不要電波が混入することを、大幅に低減することができる。
【００４０】
また、背面ベルト５１ａ、側面ベルト５１ｂ、５１ｃの内側面に緩衝部材６２を設けることによって、ベルト部５１を被検者に巻装配置させた際の装着感が良好になる。
【００４１】
図９に示すように第１収納部５３は、収納部本体５３ａと、蓋部５３ｂと、取付部５３ｃとで構成されている。収納部本体５３ａには受信機収納空間５３ｄが形成され、取付部５３ｃには例えば第１側面ベルト５１ｂが遊嵌配置されるベルト配置空間５３ｅが形成されている。
【００４２】
蓋部５３ｂの所定位置には蓋部固定手段となる、面ファスナ５６ｃの一方側を構成するフック側部材５７ｃが設けられている。一方、収納部本体５３ａの所定位置には面ファスナ５６ｃの他方側を構成する、ループ側部材５８ｃが設けられている。このことによって、蓋部５３ｂを収納部本体５３ａに対して自由に開閉することができる。
【００４３】
取付部５３ｃに形成されるベルト配置空間５３ｅの収納部本体５３ａ側内面には、収納部固定手段である収納固定部となる、前記面ファスナ５６ａの他方側を構成するループ側部材５８ａに対応するフック側部材５７ａが設けられている。したがって、第１側面ベルト５１ｂに遊嵌配置されている第１収納部５３の取付部５３ｃに設けられているフック側部材５７ａを、第１側面ベルト５１ｂのループ側部材５８ａに押し付けることによって、フック側部材５７ａがループ側部材５８ａに引っかかった状態になる。このことによって、第１収納部５３がベルト部５１を構成する第１側面ベルト５１ｂに固定配置された状態になる。
【００４４】
そして、固定配置された状態から、取付部５３ｃを第１側面ベルト５１ｂから引き離す方向に引っ張ることによって、取付部５３ｃのフック側部材５７ａと第１側面ベルト５１ｂのループ側部材５８ａとの引っかかり状態が引き剥がされる。このことによって、第１収納部５３が図６の矢印Ａに示すように第１側面ベルト５１ｂの長手方向に対して移動可能な状態になる。
【００４５】
このように、第１収納部５３に取付部５３ｃを設け、この取付部５３ｃに第１側面ベルト５１ｂに設けたループ側部材５８ａに対応するフック側部材５７ａを設けたことによって、第１収納部５３の第１側面ベルト５１ｂの長手方向に対する固定配置位置を自由に調整することができる。
【００４６】
一方、収納部本体５３ａ及び蓋部５３ｂの所定位置には液晶モニタ２１を収納部外部から露出させる、所定の大きさの本体開口５３ｆ及び蓋部開口５３ｇが設けられている。このことによって、受信機収納空間５３ｄ内に受信機２０を配設させた状態において、蓋部開口５３ｇ及び本体開口５３ｆを通して、受信機２０に設けられている液晶モニタ２１に表示されるエラーメッセージ等の情報を目視にて確認することができる。蓋部開口５３ｇ又は本体開口５３ｆの少なくとも一方には、受信機２０の液晶モニタ２１を保護する透明部材で形成された保護部材２５が設けられている。
【００４７】
なお、符号５３ｈは開口であり、符号５３ｋは透孔である。受信機収納空間５３ｄ内に受信機２０を配設して蓋部５３ｂを収納部本体５３ａに一体的に固定した状態において、開口５３ｈには受信機２０に設けられているアンテナユニット用コネクタ２２ａ、２２ｂが配置され、透孔５３ｋには受信機２０に設けられている電源コネクタ２３が配置される。
【００４８】
図１０に示すように第２収納部５４は、収納部本体５４ａと、蓋部５４ｂと、取付部５４ｃとで構成されている。収納部本体５４ａには電池ボックス収納空間５４ｄが形成され、取付部５４ｃには例えば第２側面ベルト５１ｃが遊嵌配置されるベルト配置空間５４ｅが形成されている。
【００４９】
蓋部５４ｂの所定位置には蓋部固定手段となる、面ファスナ５６ｃの一方側を構成するフック側部材５７ｃが設けられている。一方、収納部本体５４ａの所定位置には面ファスナ５６ｃの他方側を構成する、ループ側部材５８ｃが設けられている。このことによって、蓋部５４ｂを収納部本体５４ａに対して自由に開閉することができる。
【００５０】
取付部５４ｃに形成されるベルト配置空間５４ｅの収納部本体５４ａ側内面には、収納部固定手段となる、面ファスナ５６ａの他方側を構成するループ側部材５８ａに対応するフック側部材５７ａが設けられている。したがって、第２側面ベルト５１ｃに遊嵌配置されている第２収納部５４の取付部５４ｃに設けられているフック側部材５７ａを、第２側面ベルト５１ｃのループ側部材５８ａに押し付けることによって、フック側部材５７ａがループ側部材５８ａに引っかかった状態になる。このことによって、第２収納部５４がベルト部５１を構成する第２側面ベルト５１ｃに固定配置された状態になる。
【００５１】
そして、固定配置された状態から、取付部５４ｃを第２側面ベルト５１ｃから引き離す方向に引っ張ることによって、取付部５４ｃのフック側部材５７ａと第２側面ベルト５１ｃのループ側部材５８ａとの引っかかり状態が引き剥がされる。このことによって、第２収納部５４が図６の矢印Ｂに示すように第２側面ベルト５１ｃの長手方向に対して移動可能な状態になる。
【００５２】
このように、第２収納部５４に取付部５４ｃを設け、この取付部５４ｃに第２側面ベルト５１ｃに設けたループ側部材５８ａに対応するフック側部材５７ａを設けたことによって、第２収納部５４の第２側面ベルト５１ｃの長手方向に対する固定配置位置を自由に調整することができる。
【００５３】
一方、収納部本体５４ａの側面蓋部側上部には所定の大きさの切り欠き部５４ｆが形成されている。この切り欠き部５４ｆは、電池ボックス３０の電池ボックス収納空間５４ｄへの挿抜をスムーズに行えるようにするためのものである。また、収納部本体５４ａの例えば側面蓋部側下部には電源コネクタ３３を外部に露出させるための透孔５４ｇが形成されている。
【００５４】
そして、ベルト部５１を構成する第１側面ベルト５１ｂ及び第２側面ベルト５１ｃに、それぞれ第１収納部５３及び第２収納部５４を設けた状態において、透孔５３ｋと透孔５４ｇとが対向した位置関係で配置される。
【００５５】
なお、本実施形態においては電磁波低減布６４を第１側面ベルト５１ｂを構成する外装布６１の袋部６１ａ内に設ける構成を示しているが、背面ベルト５１ａ及び第２側面ベルト５１ｃを構成する外装布６１の袋部６１ａ内に電磁波低減布６４を同様に設ける構成にしたり、受信機２０を収納する第１収納部５３を構成する収納部本体５３ａ及び蓋部５３ｂに電磁波低減布６４を設ける構成にしてもよい。この場合、収納部本体５３ａ及び蓋部５３ｂを袋状に構成する。このことによって、受信機２０に不要電波が混入することをより効果的に防止することができる。
【００５６】
また、補強布６０を設けて構成した吊りバンド取付部５９を、図５及び図６の破線に示すように長手方向両端部に設けるようにしても良い。この場合には、第１及び第２側面ベルト５１ｂ、５１ｃを構成する外装布６１の袋部６１ａ内に電磁波低減布６４設ける構成、或いは、受信機２０を収納する第１収納部５３を構成する収納部本体５３ａ及び蓋部５３ｂに電磁波低減布６４を設ける構成にする。このことによって、ベルト部５１を構成する第１側面ベルト５１ｂを選択的に右前或いは左前に配置させて、巻装状態を得ることができる。
【００５７】
体外ユニット６は、図１に示すように例えば、パーソナルコンピュータ（以下、ＰＣと略記する）７０であり、このＰＣ７０にはデータ入力操作等を行う操作盤としての例えばキーボード７１及びマウス７２と、表示装置である液晶パネル等の表示部７３が設けられている。ＰＣ７０には受信機２０の記録装置収納部に着脱自在に収納されるＨＤＤ７４が直接的、或いはＵＳＢケーブル等、通信を行うための通信ケーブルを介して着脱自在に接続されるようになっている。
【００５８】
そして、ＨＤＤ７４とＰＣ７０とを接続することによって、ＨＤＤ７４に保存されている検査データを、ＰＣ７０の内部に設けられている図示しない記憶媒体に転送することや、表示を行うための処理を行って、表示部７３に内視鏡画像等の表示を行えるようになっている。
【００５９】
なお、本実施形態においては、切替器１９と受信機２０とを別体な構成としているが、受信機２０に切替器１９を一体に組み込んだ構成等であってもよい。
【００６０】
また、本実施形態においては、ベルト部５１を、背面ベルト５１ａ、第１側面ベルト５１ｂ及び第２側面ベルト５１ｃで構成しているが、ベルト部５１を１つの帯状部材で構成するようにしても良い。その場合には、ベルト部５１と略対応する構成となるように、フック側部材５７、ループ側部材５８、ループ側部材５８ａ、電源コード収納部５５、吊りバンド取付部５９、緩衝部材６２、電磁波低減布６４等を設ける。
【００６１】
上述のように構成したカプセル型内視鏡システム１の作用を説明する。 
まず、受信ユニット４及び収納ベルト５を用意する。そして、各ループアンテナ１１、…、１８を例えば紙で形成された袋状部材で覆い、袋状部材の一面側に設けられている貼付面を、被検者の例えば腹側面に予め設定されている貼付位置に貼り付けていく。
【００６２】
また、被検者に巻装されるベルト部５１及びこのベルト部５１に取り付けられ吊りバンド５２を被検者に合わせて長さ調整する。
【００６３】
このとき、ベルト部５１の長さ寸法が短い場合には、図１１に示すようにループ側部材５８及び補強布６０を設けて構成した吊りバンド取付部５９と図示しないフック側部材５７が設けられているベルト延長部材８０ａ、８０ｂを、側面ベルト５１ｂ、５１ｃの少なくとも一方に、少なくとも１つ固定配置する。このことによって、ベルト部５１の長さ寸法が被検者に対応した長さ寸法に調節される。
【００６４】
次に、ベルト部５１を構成する第１側面ベルト５１ｂに設けられている第１収納部５３の位置調整及び、第２側面ベルト５１ｃに設けられている第２収納部５４の位置調整を行う。そして、吊りバンド５２に設けられている取付具５２ｄを背面ベルト５１ａの吊りバンド取付部５９に取り付ける。また、取付具５２ｅを第１収納部５３より先端部側に位置する吊りバンド取付部５９に取り付けるとともに、取付具５２ｆを第２収納部５４より先端部側に位置する吊りバンド取付部５９に取り付ける。
【００６５】
このことによって、収納部５３、５４が取付具５２ｅ、５２ｆより中央側に配置されて、万一、ベルト部５１を構成する第１側面ベルト５１ｂに設けたフック側部材５７と、第２側面ベルト５１ｃに設けたループ側部材５８との固定状態が外れてしまった場合でも、ベルト部５１から収納部５３、５４が容易に脱落することをより確実に防止することができる。
【００６６】
次いで、第１収納部５３の受信機収納空間５３ｄに主電源をオン状態にした受信機２０を図６に示すように収納して蓋部５３ｂを収納部本体５３ａに一体に固定する。また、第２収納部５４の電池ボックス収納空間５４ｄに電池ボックス３０を収納して蓋部５４ｂを収納部５４ａに一体に固定する。
【００６７】
そして、第１収納部５３の透孔５３ｋから露出している受信機２０の電源コネクタ２３と、第２収納部５４の透孔５４ｇから露出している電池ボックス３０の電源コネクタ３３とに電源コード４０に設けられている接続用コネクタ４１を電気的に接続する。このとき、電源コード４０に余剰分が生じた場合には、その余剰分をコード収納布６３内に収納するために配置させる。
【００６８】
ここで、コード収納布６３に設けられているフック側部材５７ｂをループ側部材５８ｂに押し付ける。すると、コード収納布６３内に電源コード４０の余剰分が収納される。このことによって、電源コード４０の余剰分が被検者に巻装されているベルト部５１から垂れ下がること等の不具合を確実に防止することができる。
【００６９】
その後、吊りバンド５２の腹側部５２ｂ、５２ｃを被検者の肩に配置させ、ベルト部５１を被検者の腰部付近に所望する状態で巻装配置させる。このとき、第１側面ベルト５１ｂ又はベルト延長部材８０ｂに設けられているフック側部材５７を、第２側面ベルト５１ｃに設けられているループ側部材５８、５８ａ又はベルト延長部材８０ａに設けられているループ側部材５８に押し付ける。このことによって、ベルト部５１が腰部に巻装配置させる。
【００７０】
次いで、被検者に巻装されたベルト部５１に設けられている受信機２０が収納されている収納部５３及び電池ボックス３０が収納されている収納部５４の配置位置を再調整する。このことによって、収納部５３、５４が被検者の所望する最適な状態に配置された状態になる。
【００７１】
次に、第１収納部５３の開口５３ｈから露出されているアンテナユニット用コネクタ２２ａ及びアンテナユニット用コネクタ２２ｂに、第１信号用ケーブル１９ａに設けられている第１コネクタ１９ｃ及び第２信号用ケーブル１９ｂに設けられた第２コネクタ１９ｄを接続する。このことによって、図１に示すように被検者３に、受信ユニット４及び収納ベルト５が一体に組み合わせて装着されて、受信機２０及び電池ボックス３０が携帯可能になる。
【００７２】
ここで、検査に移行するため、カプセル型内視鏡２を用意する。そして、カプセル型内視鏡２を導入する前に、受信機２０に設けられている液晶モニタ２１に表示されている内容を、蓋部開口５３ｇ及び本体開口５３ｆを介して目視にて確認する。ここで、不具合が確認されなかった場合には、カプセル型内視鏡２を例えば口腔から体腔内に導入する。
【００７３】
被検者の体腔内にカプセル型内視鏡２が導入されると、カプセル型内視鏡２の観察装置でとらえた体腔内画像等を含む信号が通信装置を介して無線で送信される。すると、体表に貼付されている各ループアンテナ１１、…、１８でその信号が受信され、受信機２０に伝送される。このとき、受信機２０が収納されている第１収納部５３が設けられている第１側面ベルト５１ｂに少なくとも電磁波低減布６４が設けられていることによって、カプセル型内視鏡２から送信された信号が受信機２０に混入されることなく、確実にループアンテナ１１、…、１８及び切替器１９を介して受信機２０に伝送される。受信機２０では、カプセル型内視鏡２で取得された画像データに所定の信号処理を施して生成された検査データが順次、ＨＤＤ７４に記録保存される。
【００７４】
所定時間経過後、受信機２０に設けられている液晶モニタ２１に表示されている内容を、蓋部開口５３ｇ及び本体開口５３ｆを介して確認し、順調に検査が進行していると、担当医等が判断した場合には、被検者を担当医の観察下から解放して、検査継続状態に移行する。この検査継続状態において被検者は、検査が終了するまでの間、所定の範囲で自由に行動することが許される。
【００７５】
担当医の観察下から解放された検査継続状態にある被検者は、必要に応じて、蓋部開口５３ｇ及び本体開口５３ｆを介して液晶モニタ２１に表示されている内容を目視にて確認して不具合の発生の有無を確認したり、収納部５３、５４の位置調整を適宜行う。
【００７６】
このことによって、被検者は、担当医から解放された状態において、受信機２０等の動作状態の確認を自ら行うことができるとともに、長時間にわたる検査状態を快適に過ごすことができる。
【００７７】
そして、検査が終了したなら、担当医の元、第１信号用ケーブル１９ａ、信号用ケーブル１９ｂ及び電源コード４０を、ベルト部５１に設けられている収納部５３、５４に収納されている受信機２０、電池ボックス３０から取り出し、その後、収納ベルト５を被検者から取り外すとともに、ループアンテナ１１、…、１８及び切替器１９も被検者から取り外す。このことによって、被検者は検査から解放される。
【００７８】
この後、担当医は、受信機２０からＨＤＤ７４から取り外し、このＨＤＤ７４をＰＣ７０に接続して、ＨＤＤ７４に保存されている検査データを、ＰＣ７０の内部に設けられている記憶媒体に転送する作業や、表示部７３に内視鏡画像を表示させて検査を行う。
【００７９】
このように、受信機が収納される収納部が設けられる少なくとも第１側面ベルトを構成する外装布の袋部内に電磁波低減布を設けることによって、体腔内を移動するカプセル型内視鏡から送信される信号が直接に受信機で受信されること、言い換えれば、受信機に不要電波が混入することを、大幅に低減することができる。
【００８０】
また、受信機を収納する第１収納部を構成する収納部本体及び蓋部に電磁波低減布を設ける構成にすることによって、受信機に不要電波が混入することをさらに低減させて、ノイズによる不具合を効果的に防止することができる。
【００８１】
なお、受信ユニット４と収納ベルト５とを一体に組み合わせる手順は、上述したものに限定されるものではなく、例えば、ベルト部５１を腰部に巻装配置させた後、収納部５３、５４に受信機２０、電池ボックス３０を収納させるようにしても良い。
【００８２】
また、本実施形態においては無線型カプセル医療装置をカプセル型内視鏡２として説明したが、無線型カプセル医療装置はカプセル型内視鏡２に限定されるものではない。例えば、カプセル本体７の内部に超音波探触子を配設したカプセル型超音波内視鏡等であってもよい。また、カプセル本体７の外表面側に、生体（具体的には、人、動物の体腔管路）内の明るさを検出する光センサ、内液の化学量（ｐＨ値）を検出するｐＨセンサ、温度を測定する温度センサ、圧力を検出する圧力センサ、或いはヘモグロビン量（出血の有無）を測定する血液センサ（ヘモグロビンセンサ）等を露出させて設け、カプセル内部に対して水密を保つようにカプセル本体に固定したものであってもよい。このカプセルにおいても、各センサで得られた情報は、通信装置により体外に向けて送信されて、ループアンテナ１１、…、１８等を介して受信機２０に内蔵されているＨＤＤ２２に検査データとして蓄積される。
【００８３】
このように、センサを設けたカプセルによれば、センサによって得られるデータを例えば基準値と比較することで、病気や出血などの異常の有無の判断や、カプセル通過位置の判断等を体外において、医療従事者が行うことができる。特に、カプセル型医療装置により被検者の苦痛なく、生体の消化管内のｐＨ値やヘモグロビン量を測定することで、消化器疾患の診断や生理学的解析が行えることの効果は大きい。また、各種センサを、目的に応じて複数種類、カプセル本体７の外表面に設けることで効率良い検査を行える。
【００８４】
尚、本発明は、以上述べた実施形態のみに限定されるものではなく、発明の要旨を逸脱しない範囲で種々変形実施可能である。
【図面の簡単な説明】
【００８５】
【図１】カプセル型内視鏡システムを説明する図
【図２】受信ユニットの構成を説明する図
【図３】受信機を説明する正面図、上面図及び左側面図で構成される三面図
【図４】電池ボックスを説明する図
【図５】医療機器用収納ベルトを説明する斜視図
【図６】医療機器用収納ベルトの外側面側を説明する斜視図
【図７】背面形成部の構成を説明する断面図
【図８】第１側面形成部の構成を説明する断面図
【図９】第１収納部の構成を説明する断面図
【図１０】第２収納部の構成を説明する断面図
【図１１】側面形成部に着脱自在なベルト延長部材を備えた医療機器用収納ベルトを説明する図
【符号の説明】
【００８６】
５…収納ベルト
５１…ベルト部
５１ｂ…第１側面ベルト
５３…第１収納部
６１…外装布
６１ａ…袋部
６４…電磁波低減布
代理人    弁理士    伊藤  進
【図１】
2005342437.tif 000003
【図２】
2005342437.tif 000004
【図３】
2005342437.tif 000005
【図４】
2005342437.tif 000006
【図５】
2005342437.tif 000007
【図６】
2005342437.tif 000008
【図７】
2005342437.tif 000009
【図８】
2005342437.tif 000010
【図９】
2005342437.tif 000011
【図１０】
2005342437.tif 000012
【図１１】
2005342437.tif 000013